(57)【要約】【課題】基礎コンクリートの施工に要する期間を省略できて、工期を大幅に短縮することができるコンクリートブロックの設置法を提供すること。【解決手段】石材２Ａを敷き詰めて基礎石層２を形成し、この基礎石層２上に支承板４を複数載置し、この支承板４は、この支承板４上に載置した上下調整装置３でコンクリートブロック１を支承した際にこの上下調整装置３に加わる荷重を支えて基礎石層２が沈下しにくい大きさを有するように構成し、この複数の支承板４に載置した上下調整装置３にコンクリートブロック１の底板１Ａを支承し、複数の上下調整装置３によりコンクリートブロック１を所定の姿勢に調整是正した後、このコンクリートブロック１の正しい姿勢を保持手段５により保持し、基礎石層２と底板１Ａとの間に硬化剤６を充填する。【選択図】図３
2007204988.tif 000002
【特許請求の範囲】
【請求項１】
コンクリートブロックを接地する地面に、基礎コンクリートを施工することなく、砕石や砂利などの石材を敷き詰めて基礎石層を形成し、この基礎石層上に、前記コンクリートブロックの高さを調整する上下調整装置を載置し得る支承板を複数載置し、この支承板は、この支承板上に載置した上下調整装置でコンクリートブロックを支承した際にこの上下調整装置に加わるコンクリートブロックの荷重を支えて前記基礎石層が沈下しにくい大きさを有する構成とし、この複数の支承板に上下調整装置を載置し、この複数の上下調整装置にコンクリートブロックの底板を支承し、この複数の上下調整装置によりコンクリートブロックの底板を所定の水平状態若しくは傾斜状態に調整是正した後、このコンクリートブロックの正しい姿勢を保持手段により保持せしめて上下調整装置を取り除き、前記基礎石層とコンクリートブロックの底板の下面との間に硬化剤を充填し硬化させて基礎石層上にコンクリートブロックを設置することを特徴とするコンクリートブロックの設置法。
【請求項２】
コンクリートブロックを接地する地面に、基礎コンクリートを施工することなく、砕石や砂利などの石材を敷き詰めて基礎石層を形成し、この基礎石層上に、上下調整装置部を備えた前記コンクリートブロックのこの上下調整装置部を支承し得る支承板を複数載置し、この支承板は、前記上下調整装置部でコンクリートブロックを支承した際にこの上下調整装置部に加わるコンクリートブロックの荷重を支えて前記基礎石層が沈下しにくい大きさを有する構成とし、この複数の支承板にコンクリートブロックの上下調整装置部を支承し、この複数の上下調整装置部によりコンクリートブロックの底板を所定の水平状態若しくは傾斜状態に調整是正した後、前記基礎石層とコンクリートブロックの底板の下面との間に硬化剤を充填し硬化させて基礎石層上にコンクリートブロックを設置することを特徴とするコンクリートブロックの設置法。
【請求項３】
前記支承板の下面に、この支承板の下面を前記基礎石層に載置した際にこの基礎石層に対し滑り止め作用を付与する突起部を形成したことを特徴とする請求項１，２のいずれか１項に記載のコンクリートブロックの設置法。
【発明の詳細な説明】
【技術分野】
【０００１】
本発明は、擁壁ブロック、排水溝ブロック、柵渠溝ブロック、ボックスカルバートなどのコンクリートブロックの設置法に関するものである。
【背景技術】
【０００２】
大型のコンクリートブロックを順次並べて土留擁壁や排水溝や排水トンネルを施工する場合、コンクリートブロックを接地する地面に先ずは基礎コンクリートを施工し、この基礎コンクリート上にコンクリートブロックを据付固定する。
【０００３】
更に具体的に説明すると、基礎コンクリートの施工完了後、この基礎コンクリート上に載置した上下調整装置でコンクリートブロックの底板を支承し、この上下調整装置を調整することで姿勢を正しい設置状態に調整是正し、次いで、この正しい姿勢のままコンクリートブロックを基礎コンクリートより浮上状態となるようにスペーサーなどで仮保持して上下調整装置を取り外した後、コンクリートブロックの底板と基礎コンクリートとの間の浮上間隙７にセメントモルタルやコンクリートモルタルなどの硬化剤を注入充填して固定する。
【０００４】
一方、出願人は特許文献１を取得している。
【０００５】
この特許文献１を簡単に説明すると、コンクリートブロックを設置する基礎面に複数の支承板を載置し、この複数の支承板に前記コンクリートブロックの高さを調整する上下調整装置を載置し、この上下調整装置にコンクリートブロックの底板を支承し、この上下調整装置によりコンクリートブロックの底板を所定の水平状態若しくは傾斜状態に調整是正した後、このコンクリートブロックの正しい姿勢を保持手段により保持せしめて上下調整装置を取り除き、前記基礎面とコンクリートブロックの底板の下面との間隙並びにこの基礎面に載置した前記支承板とコンクリートブロックの底板の下面との間隙にセメントモルタルやコンクリートモルタルなどの硬化剤を充填して基礎面上にコンクリートブロックを設置することを特徴とするコンクリートブロックの設置法に係るものである。
【０００６】
そして、この設置法によれば、基礎面に複数の支承板を載置し、この複数の支承板に上下調整装置を載置して、この上下調整装置にコンクリートブロックの底板を支承するから、上下調整装置に集中して加わるコンクリートブロックの荷重が支承板に支えられることとなって基礎面の沈下が防止されることになり、しかもこの支承板を用いることで、単にこの支承板上にコンクリートブロックを配置するだけでコンクリートブロックの底板と基礎面との間には硬化剤注入用の浮上間隙が確保されるため、コンクリートブロックの姿勢是正作業に際して硬化剤注入に必要な浮上間隙を形成するような大幅な調整変更作業は不要となって、コンクリートブロックの姿勢を是正するだけのわずかな調整作業を行うだけで良いこととなるので、従来の設置法に比して作業性が著しく向上することになる。
【０００７】
【特許文献１】特許第３５８７７６１号公報
【発明の開示】
【発明が解決しようとする課題】
【０００８】
出願人は、この種コンクリートブロックの設置法の工期を更に短縮する技術について研究を重ね、試行錯誤した末、前記特許文献１で用いた支承板のアイデアを応用することで、基礎コンクリートの施工を要することなく、石材を敷き詰めて簡単に形成できる基礎石層上に強固にコンクリートブロックを設置でき、基礎コンクリートの施工に要する期間分、即ち基礎コンクリートの硬化に要する期間を省略できる分工期を大きく短縮することができるコンクリートブロックの設置法を完成させるに至った。
【課題を解決するための手段】
【０００９】
添付図面を参照して本発明の要旨を説明する。
【００１０】
コンクリートブロック１を接地する地面に、基礎コンクリートを施工することなく、砕石や砂利などの石材２Ａを敷き詰めて基礎石層２を形成し、この基礎石層２上に、前記コンクリートブロック１の高さを調整する上下調整装置３を載置し得る支承板４を複数載置し、この支承板４は、この支承板４上に載置した上下調整装置３でコンクリートブロック１を支承した際にこの上下調整装置３に加わるコンクリートブロック１の荷重を支えて前記基礎石層２が沈下しにくい大きさを有する構成とし、この複数の支承板４に上下調整装置３を載置し、この複数の上下調整装置３にコンクリートブロック１の底板１Ａを支承し、この複数の上下調整装置３によりコンクリートブロック１の底板１Ａを所定の水平状態若しくは傾斜状態に調整是正した後、このコンクリートブロック１の正しい姿勢を保持手段５により保持せしめて上下調整装置３を取り除き、前記基礎石層２とコンクリートブロック１の底板１Ａの下面との間に硬化剤６を充填し硬化させて基礎石層２上にコンクリートブロック１を設置することを特徴とするコンクリートブロックの設置法に係るものである。
【００１１】
また、コンクリートブロック１を接地する地面に、基礎コンクリートを施工することなく、砕石や砂利などの石材２Ａを敷き詰めて基礎石層２を形成し、この基礎石層２上に、上下調整装置部10を備えた前記コンクリートブロック１のこの上下調整装置部10を支承し得る支承板４を複数載置し、この支承板４は、前記上下調整装置部10でコンクリートブロック１を支承した際にこの上下調整装置部10に加わるコンクリートブロック１の荷重を支えて前記基礎石層２が沈下しにくい大きさを有する構成とし、この複数の支承板４にコンクリートブロック１の上下調整装置部10を支承し、この複数の上下調整装置部10によりコンクリートブロック１の底板１Ａを所定の水平状態若しくは傾斜状態に調整是正した後、前記基礎石層２とコンクリートブロック１の底板１Ａの下面との間に硬化剤６を充填し硬化させて基礎石層２上にコンクリートブロック１を設置することを特徴とするコンクリートブロックの設置法に係るものである。
【００１２】
また、前記支承板４の下面に、この支承板４の下面を前記基礎石層２に載置した際にこの基礎石層２に対し滑り止め作用を付与する突起部４Ａを形成したことを特徴とする請求項１，２のいずれか１項に記載のコンクリートブロックの設置法に係るものである。
【発明の効果】
【００１３】
本発明は上述のように、石材を敷き詰めて形成した基礎石層に支承板を載置し、この支承板に載置した上下調整装置若しくは支承板で支承した上下調整装置部でコンクリートブロックを支承するから、基礎石層は石材を敷き詰めることで簡単に形成できる上、従来までの設置法のように基礎コンクリートの施工に要する期間を要しないために、基礎石層形成後直ちにコンクリートブロックの設置作業に移行して著しく工期を短縮することができ、しかも、基礎コンクリートを施工しない構成でありながら、コンクリートブロックの荷重が集中する上下調整装置若しくは上下調整装置部を支承板で支承する構成としたため、基礎石層の大きな沈下を伴わずに良好に施工可能であると共に、基礎石層とコンクリートブロックの底板との間に充填する硬化剤によって基礎石層も固化するため、設置強度も強固となるなど、極めて実用性に秀れた画期的なコンクリートブロックの設置法となる。
【００１４】
また、請求項３記載の発明においては、基礎石層上の支承板が位置ずれすることが可及的に防止されて、一層安全に且つ精度の良い設置作業を行うことができる極めて実用性に秀れたコンクリートブロックの設置法となる。
【発明を実施するための最良の形態】
【００１５】
好適と考える本発明の実施形態（発明をどのように実施するか）を、図面に基づいて本発明の作用を示して簡単に説明する。
【００１６】
一般的なコンクリートブロックの設置法は、先ずコンクリートブロックを設置する地面に基礎コンクリートを施工し、基礎コンクリート完成後にこの基礎コンクリート上にコンクリートブロックを据付するが、本発明では、コンクリートブロック１を設置する地面に基礎コンクリートを施工しない。そのため、基礎コンクリートの硬化（完成）までに要する時間を待たずに設置作業を行うことができる。
【００１７】
本発明を具体的に説明すると、コンクリートブロック１を設置する地面に、砕石や砂利などの石材２Ａを敷き詰めて基礎石層２を形成する。
【００１８】
そして、この基礎石層２に複数の支承板４を載置し、この複数の支承板４にコンクリートブロック１の高さを調整する上下調整装置３を載置して、この上下調整装置３にコンクリートブロック１の底板１Ａを支承するか、若しくはこの複数の支承板４にコンクリートブロック１の底板１Ａに設けた上下調整装置部10を支承する。
【００１９】
すると、この上下調整装置３若しくは上下調整装置部10には、コンクリートブロック１の荷重が集中することになるが、この上下調整装置３若しくは上下調整装置部10は基礎石層２に直接載置するのではなく、この基礎石層２に載置した支承板４に載置しているから、この上下調整装置３若しくは上下調整装置部10に加わるコンクリートブロック１の荷重が支承板４で支えられることになる。そして、この支承板４は、上下調整装置３若しくは上下調整装置部10に加わるコンクリートブロック１の荷重を支えて基礎石層２が沈下しにくい大きさを有するものであるから、基礎石層２が大きく沈下して支承したコンクリートブロック１が大きく傾いたりするような危険性はない。
【００２０】
次いで、この上下調整装置３若しくは上下調整装置部10により支承したコンクリートブロック１の底板１Ａを所定の水平状態若しくは傾斜状態に調整是正する。また、この際、コンクリートブロック１の底板１Ａと基礎石層２との間に、硬化剤６注入用の浮上間隙７が確保されるように調整する。
【００２１】
尚、上下調整装置３を用いる場合には、コンクリートブロック１の姿勢調整終了後、このコンクリートブロック１の正しい姿勢を保持手段５により保持して、上下調整装置３を取り除く。
【００２２】
次いで、前記基礎石層２とコンクリートブロック１の底板１Ａの下面との間隙並びにこの基礎石層２に載置した前記支承板４とコンクリートブロック１の底板１Ａの下面との間隙に、例えば、セメントモルタルやコンクリートモルタルなどの硬化剤６を充填して、作業終了となる。この硬化剤６の硬化により基礎石層２が固められると共に、基礎石層２上にコンクリートブロック１が固定されることとなる。
【００２３】
従って、本発明によれば、基礎コンクリートの施工工程を要しないので、基礎コンクリート硬化（完成）までの期間を要せず、石材を敷き詰めるだけの簡単な作業により基礎石層２を形成後、直ちにコンクリートブロック１の据付作業に移行することができるため、設置に要する工期を著しく短縮することができる。また、基礎コンクリートを敷設しない構成でありながら、支承板４を用いることで基礎石層２の大きな沈下を伴わずに安全に且つ精度良く設置施工できると共に、硬化剤６によって基礎石層２も固化するため、設置強度不足もない。
【００２４】
また、例えば、前記支承板４の下面に、この支承板４の下面を前記基礎石層２に載置した際にこの基礎石層２に対し滑り止め作用を付与する突起部４Ａを形成すれば、基礎石層２上に載置した支承板４が位置ずれしにくく、一層安全に且つ精度の良いコンクリートブロック１の姿勢調整作業を行って設置することができる。
【実施例１】
【００２５】
本発明の具体的な実施例１について図１〜図９に基づいて説明する。
【００２６】
本実施例のコンクリートブロック１は、擁壁ブロックを採用した場合を図示しているが、排水溝ブロックやボックスカルバートや、その他のコンクリートブロック１を採用しても良い。
【００２７】
本実施例のコンクリートブロックの設置法を説明すると、先ず、図１に示すように、コンクリートブロック１を設置する地面に多数の砕石（石材２Ａ）を敷き詰めて基礎石層２を形成する。この基礎石層２は、表面（上面）を平らに均すことが好ましい。
【００２８】
この基礎石層２上に複数の支承板４を載置し（図２参照。）、この複数の支承板４にコンクリートブロック１の高さを調整する上下調整装置３を載置し、この上下調整装置３にコンクリートブロック１の底板１Ａを支承する。
【００２９】
具体的に説明すると、支承板４は、図７に示すような予め工場で量産しておいた方形状（平面視略長方形状）のコンクリート板（プレキャストコンクリート板）を採用している。
【００３０】
また、この支承板４は、上下調整装置３を載置し得るように大きさを設定すると共に、この支承板４を介して基礎石層２上に前記コンクリートブロック１を配置した際に、このコンクリートブロック１の底板１Ａの下面と基礎石層２の上面との間に硬化剤６を注入充填してコンクリートブロック１を硬化固定するに十分な浮上間隙７が確保されるように厚みを設定している。
【００３１】
また、この支承板４は、この支承板４上に載置した上下調整装置３でコンクリートブロック１を支承した際に、この上下調整装置３に加わるコンクリートブロック１の荷重を支えることができて下方の基礎石層２が大きく沈下することのない大きさと厚みとを有するように設定構成している。
【００３２】
更に詳しくは、支承板４は、前後幅と左右幅とが共に２００ｍｍ以上の幅を有する大きさに設定し、且つ厚み幅が７０ｍｍ以上の幅を有する厚さに設定している。このような大きさと厚みに設定することで、前記条件を満たし、強度的にも十分な支承板４となることが確認されている。
【００３３】
また、本実施例では、支承板４の左右側面部に、線材をコ字状に折曲形成した取手４Ｂを付設して携帯性を向上させ、基礎石層２への載置作業を容易に行えるようにしている。
【００３４】
この取手４Ｂは、支承板４のコンクリート成型にあたって、同時に埋め込み成型している。
【００３５】
本実施例では、この複数の支承板４を、図８，図９に示すように、コンクリートブロック１を横並びに設置する基礎石層２の長さ方向に所定間隔を置いた並設状態に載置すると共に、この基礎石層２に設置されるコンクリートブロック１の底板１Ａの前後部の下方に位置するようにして載置している。
【００３６】
具体的には、図８では、コンクリートブロック１の底板１Ａの前側（擁壁板１Ｂ側）左右部と後側中央部の三箇所を上下調整装置３で支承し得るように、支承板４の基礎石層２への載置位置を設定した場合を示している。また、本実施例では、略長方形状の支承板４を構成したため、図９に示すように、隣接するコンクリートブロック１の前側左右部間に架け渡すようにして一枚の支承板４を載置し（図面左側のコンクリートブロック１の底板１Ａの前側右部と、右側のコンクリートブロック１の底板１Ａの前側左部とを一枚の支承板４上に配置し）、この一枚の支承板４上に、隣接する双方のコンクリートブロック１の底板１Ａを支承する上下調整装置３及び後述する保持手段５を載置するような設置法も可能である。
【００３７】
尚、支承板４の載置位置は、この図８と図９に示した二例に限定されるものではなく、例えば、コンクリートブロック１の底板１Ａの隅部（四隅）に対応する位置に載置するなどしても良く、適宜設計変更可能であるが、できるだけコンクリートブロック１の底板１Ａの周縁部に近い位置に載置する方が、上下調整装置３でコンクリートブロック１を安定的に載置でき、且つ後の上下調整装置３の除去作業も容易に行われることになるため、望ましい。
【００３８】
尚、本実施例の上下調整装置３は、支承爪を備えた油圧ジャッキを採用しているが、その他の構成のジャッキ装置でも良い。
【００３９】
この際、コンクリートブロック１は非常に大型で重量も非常に大きいため、上下調整装置３にコンクリートブロック１の重さが集中して加わることになるが、この上下調整装置３は基礎石層２に直接載置するのではなく、この基礎石層２に載置した支承板４に載置しているから、この上下調整装置３に加わるコンクリートブロック１の荷重が上記したような強度のある支承板４に支えられることになり、これにより基礎石層２の沈下は防止される。
【００４０】
次いで、このコンクリートブロック１の底板１Ａの前側左右部と後側中央部を支承した上下調整装置３によりコンクリートブロック１の底板１Ａを所定の水平状態若しくは傾斜状態に調整是正し（図３参照。）、この調整是正したコンクリートブロック１の正しい姿勢を保持手段５により保持して上下調整装置３を取り除く。
【００４１】
この際、厚みのある支承板４及び保持手段５を介して基礎石層２上にコンクリートブロック１を設置することで、このコンクリートブロック１の底板１Ａと基礎石層２の上面との間には硬化剤６注入用の浮上間隙７が確保されることになるため、上下調整装置３によるコンクリートブロック１の姿勢是正に際して硬化剤６注入用の浮上間隙７を形成するような大幅な調整変更作業が不要となり、単にコンクリートブロック１の姿勢を是正するだけのわずかな調整作業で良いこととなる。
【００４２】
従って、本実施例によれば、コンクリートブロック１を基礎石層２に対して底上げする調整作業が実質的に不要となり、作業性が著しく向上することになる。
【００４３】
また、本実施例の保持手段５は、ライナープレート５Ａを支承板４とコンクリートブロック１の底板１Ａの下面との間に複数枚積み重ねて介在することで、コンクリートブロック１を所定の正しい姿勢に保持する構成を採用している。また、この保持手段５は、ライナープレート５Ａ以外の適宜なスペーサを採用して構成しても良いし、その他の構成でも良い。
【００４４】
そして、この保持手段５（ライナープレート５Ａ）でコンクリートブロック１を保持したら、上下調整装置３の支承爪を下降させてこの上下調整装置３を取り除く（図４参照。）。
【００４５】
次いで、基礎石層２の上面とコンクリートブロック１の底板１Ａの下面との浮上間隙７の脇から硬化剤６が漏れ出ないように浮上間隙７の周りに目張り８を施し（図５参照。）、この浮上間隙７並びにこの基礎石層２に載置した前記支承板４とコンクリートブロック１の底板１Ａの下面との間隙に、セメントモルタルやコンクリートモルタルなどの硬化剤６を充填して作業終了となる（図６参照。）。この硬化剤６の硬化により基礎石層２が固まると共に、硬化剤６を介して基礎石層２上にコンクリートブロック１が固定される。
【００４６】
また、この硬化剤６の注入は、コンクリートブロック１の底板１Ａに設けた注入口１Ｃから行う。
【実施例２】
【００４７】
本発明の具体的な実施例２について図１０，図１１に基づいて説明する。
【００４８】
本実施例は、支承板４の構成を前記実施例１と異ならせた場合であり、他の構成・設置法は前記実施例１と同様である。
【００４９】
具体的に説明すると、本実施例の支承板４は、前記支承板４の下面に、この支承板４の下面を前記基礎石層２に載置した際にこの基礎石層２に対し滑り止め作用を付与する突起部４Ａを形成している。
【００５０】
この突起部４Ａは、前記支承板４の下面を、この下面の中心部を頂部とする突起形状に形成して構成している。
【００５１】
更に詳しくは、前記支承板４の下面を、この下面の中心部を頂部とする高さのない四角錐形状に形成してこの下面の四角錐状の突起部分を前記突起部４Ａとしている。
【００５２】
従って、支承板４を基礎石層２上に載置すると、この錐形の突起部４Ａが基礎石層２表面に喰い込むように載置して確実に滑り止め作用を発揮し、支承板４が位置ずれしにくくなる構成としている。また、この突起部４Ａは、支承板４Ａのコンクリート成形と同時に一体成形しているもので、この構成は簡易に設計実現可能である。
【実施例３】
【００５３】
本発明の具体的な実施例３について図１２〜図１４に基づいて説明する。
【００５４】
本実施例は、底板１Ａの数箇所に上下調整装置部10が設けられたコンクリートブロック１を用いて施工する場合である。
【００５５】
具体的には、上下調整装置部10は、図１３に示すように、底板１Ａの前側（擁壁板１Ｂ側）左右部と後側中央部の三箇所に設けている。
【００５６】
更に詳しくは、図１２に示すように、底板１Ａの前側左右部と後側中央部の三箇所に螺子筒12（ナット）が上下貫通状態に埋設され、この螺子筒12に底板１Ａの厚みよりも長さのある調整ボルト11が螺着された構成で、この調整ボルト11の螺子筒12に対する回動螺動操作により調整ボルト11の底板１Ａ下方への突出度合い（突出長）を変化させてコンクリートブロック１の高さを調整できるようになっている。
【００５７】
本実施例の場合、実施例１と同様に、地面に基礎石層２を形成し、この基礎石層２上に支承板４を複数載置し、この各支承板４上に前記各上下調整装置部10の調整ボルト11先端を支承し、この各上下調整装置部10で高さ及び姿勢を調整是正すると共に、基礎石層２の上面とコンクリートブロック１の底板１Ａの下面との間に浮上間隙７を形成した後、この浮上間隙７の周囲に目張りしてこの浮上間隙７並びにこの基礎石層２に載置した前記支承板４とコンクリートブロック１の底板１Ａの下面との間隙に、セメントモルタルやコンクリートモルタルなどの硬化剤６を充填してコンクリートブロック１を設置固定する。
【００５８】
また、本実施例の支承板４は、図１４に示すように、上面に金属板４Ｃを重合止着した構成とし、この支承板４上部の金属板４Ｃ上に前記上下調整装置部10の調整ボルト11先端を支承することで、回動する調整ボルト11先端によって支承板４上面が傷付いたり壊れたりしないように構成している。
【００５９】
また、本実施例の支承板４は、平面視略正方形状に成形したものを採用している。
【００６０】
尚、本実施例において、前記実施例２と同様に、支承板４の下面に突起を形成して、支承板４に滑り止め作用を付与する構成としても良い。
【実施例４】
【００６１】
本発明の具体的な実施例４について図１５に基づいて説明する。
【００６２】
本実施例は、実施例３において、上下調整装置部10の構成を異ならせた場合であり、他の構成・設置法は前記実施例３と同様である。
【００６３】
具体的には、本実施例の上下調整装置部10は、実施例３の調整ボルト11に着脱自在に螺着するボルト受体13を備えた構成としている。
【００６４】
更に詳しくは、ボルト受体13は、金属製であって、支承板４に載置する方形状の載置板13Ｂの中心部に、調整ボルト11が螺着するナット部13Ａを突設した構成としている。
【００６５】
本実施例の場合、実施例３とは異なり、支承板４の上部に金属板４Ｃを設けず、この支承板４に載置したボルト受体13の載置板13Ｂが実質的に金属板４Ｃと同等の役割を果たす構成としているものである。
【００６６】
尚、本実施例において、前記実施例２と同様に、支承板４の下面に突起部４Ａを形成して、支承板４に滑り止め作用を付与する構成としても良い。
【実施例５】
【００６７】
本発明の具体的な実施例５について図１６に基づいて説明する。
【００６８】
本実施例は、実施例３において、上下調整装置部10の構成を異ならせた場合であり、他の構成・設置法は前記実施例３と同様である。
【００６９】
具体的には、本実施例の上下調整装置部10は、実施例３の調整ボルト11の先端にボール部11Ａを形成した構成とすると共に、このボール部11Ａを回動自在に支承し得るボール受体14を備えた構成としている。
【００７０】
更に詳しくは、ボール受体14は、金属製であって、支承板４に載置する方形状の載置板14Ｂの中心部に筒状のボール受部14Ａを突設した構成としている。
【００７１】
本実施例の場合、実施例３とは異なり、支承板４の上部に金属板４Ｃを設けず、この支承板４に載置したボール受体14の載置板14Ｂが実質的に金属板４Ｃと同等の役割を果たす構成としているものである。
【００７２】
また、本実施例の支承板４は、前記実施例２と同様に、下面に滑り止め用の突起部４Ａを形成している。
【００７３】
尚、本発明は、実施例１〜５に限られるものではなく、各構成要件の具体的構成は適宜設計し得るものである。
【図面の簡単な説明】
【００７４】
【図１】実施例１の基礎石層を形成した様子を示す説明図である。
【図２】図１の状態から、基礎石層上に支承板を載置した様子を示す説明図である。
【図３】図２の状態から、支承板上に上下調整装置を載置支承し、この上下調整装置にコンクリートブロックの底板を支承した様子を示す説明図である。
【図４】図３の状態から、支承板と底板との間にライナープレートを介在してコンクリートブロックの姿勢を保持し、上下調整装置を除去した様子を示す説明図である。
【図５】図４の状態から、支承板と底板との間の浮上間隙の周囲に目張りを施した様子を示す説明図である。
【図６】図５の状態から、支承板と底板との間の浮上間隙に硬化剤を充填した様子を示す説明図である。
【図７】実施例１の支承板を示す斜視図である。
【図８】実施例１の施工途中の説明平面図である。
【図９】支承板の載置位置の別例を示す説明平面図である。
【図１０】実施例２の基礎石層上に支承板を載置した様子を示す説明図である。である。
【図１１】実施例２の支承板を示す裏面方向からの斜視図である。
【図１２】実施例３の支承板上に上下調整装置部を支承してコンクリートブロックを設置しようとする様子を示す説明図である。
【図１３】実施例３の設置状態を示す説明平面図である。
【図１４】実施例３の支承板を示す斜視図である。
【図１５】実施例４の支承板上に上下調整装置部を支承してコンクリートブロックを設置しようとする様子を示す説明図である。
【図１６】実施例５の支承板上に上下調整装置部を支承してコンクリートブロックを設置しようとする様子を示す説明図である。
【符号の説明】
【００７５】
１  コンクリートブロック
１Ａ  底板
２  基礎石層
２Ａ  石材
３  上下調整装置
４  支承板
４Ａ  突起部
５  保持手段
６  硬化剤
10  上下調整装置部
【図１】
2007204988.tif 000003
【図２】
2007204988.tif 000004
【図３】
2007204988.tif 000005
【図４】
2007204988.tif 000006
【図５】
2007204988.tif 000007
【図６】
2007204988.tif 000008
【図７】
2007204988.tif 000009
【図８】
2007204988.tif 000010
【図９】
2007204988.tif 000011
【図１０】
2007204988.tif 000012
【図１１】
2007204988.tif 000013
【図１２】
2007204988.tif 000014
【図１３】
2007204988.tif 000015
【図１４】
2007204988.tif 000016
【図１５】
2007204988.tif 000017
【図１６】
2007204988.tif 000018